(57)【要約】【課題】  外周ハウジングを締め付ける際に、単に締め付けボルトをナットに挿入するだけで、締め付けボルトとが正確にナットに縲合し、正確に配管に装着作業ができ、装着作業を簡便にすることができる管継手を提供する。【解決手段】  対向する管材端部を接続する管継手であって、管継手は外周ハウジングとゴムシーリングとを設け、外周ハウジングの両端には対向するようにボルト取付部とナット部とを設け、ボルト取付部のボルト取付孔に締め付けボルトを挿入してナット部のナットに縲合し、外周ハウジングを締め付けてゴムシーリングを圧接して管周面を密封する管継ぎ手において、締め付けボルトの先端部には前記ナットのネジ山の頂点の内径とほぼ同じ外径の先端円柱部を設け、先端円柱部の長さ方向の幅をナットの幅と同等以上した管継手。【選択図】図１
2008057715.tif 000002
【特許請求の範囲】
【請求項１】
対向する管材端部を接続する管継手であって、該管継手は外周ハウジングとゴムシーリングとを設け、外周ハウジングの両端には対向するようにボルト取付部とナット部とを設け、ボルト取付部のボルト取付孔に締め付けボルトを挿入してナット部のナットに縲合し、外周ハウジングを締め付けてゴムシーリングを圧接して管周面を密封する管継ぎ手において、
前記締め付けボルトの先端部には前記ナットのネジ山の頂点の内径とほぼ同じ外径の先端円柱部を設けたことを特徴とする管継手。
【請求項２】
前記先端円柱部の長さ方向の幅を前記ナットの幅と同等以上にしたことを特徴とする請求項１に記載の管継手。
【請求項３】
前記先端円柱部の先端には円錐台形ガイド部を設けたことを特徴とする請求項１乃至請求項２に記載の管継手。
【請求項４】
前記ボルト取付部とナット部とは長尺のロッドであって、両ロッドには対向するボルト取付孔とナットをそれぞれ一対設け、平行する一対の締め付けボルトで外周ハウジングを締め付けることを特徴とする請求項１乃至請求項３に記載の管継手。
【発明の詳細な説明】
【技術分野】
【０００１】
この発明は、構築物の配管構造に用いる管継手であって、ネジの誤噛み合いが生じない管継手に関するものである。
【背景技術】
【０００２】
従来より、例えば、特許文献１、及び、特許文献２に示されるように、対向する配管を接続するために、管継手は外周ハウジングを締め付けることによってゴムシーリングを圧接して管周面を密封する管継手は公知であり、この管継手は外周ハウジングをボルトで締め付け、締め付け度合いを調節するとともに、外周ハウジング側面の内側に歯形突起を設けて、この突起を管周面に食い込ませ、管継手自体が移動しないようにしている。
特許文献１に開示される管継手は、ナット１３を係合する台座１９を強固に保持しなければならないが、台座１３が管周面から離れており、これを強固に維持するには構造上無理があり、また、配管接続箇所が狭い場所や床下などの作業がしづらい場所が多く、ナット１３の操作がやっかいであった。また、ボルトが中央の１本であるので、外周ハウジングの両端の締め付けが均一にならなかった。
このため、本出願人による特許文献２に開示され、図７、図８に示すように、外周ハウジングａの対向する両端には、それぞれボルト保持ロッドｂとナットを設けたナットロッドｃとを設け、ボルト保持ロッドｂのボルト貫通孔b1にボルトｄを挿入し、このボルトｄをナットロッドｃの一対のナットc1に縲合して外周ハウジングａの両ロッドｂ、ｃとを締め付けてゴムシーリングｅを圧接して管周面を密封する管継ぎ手が提案されている。
このナットロッドｃのナットc1とボルトｄの組み合わせでは、外周ハウジングａの両端に設けたロッドｂ，ｃとを引っ張り力で締め付けるので、構造的に頑丈であり、一対の２本のボルトにすれば管長手方向に幅のある管継手にも簡単に対応でき、接続する両側の配管に対して、同等の力でゴムシーリングｅを圧接して管周面を密封することができる。
【特許文献１】実用新案登録２５２８３４８号公報
【特許文献２】実用新案登録３１１２７６６号公報
【発明の開示】
【発明が解決しようとする課題】
【０００３】
しかしながら、特許文献２のような上記先行技術のナット部ｃのナットc1と締め付けボルトｄの組み合わせにおいては、図７、図８に示すように、ボルトの先端は円錐台形の案内部ｆがナットc1に挿入して、ナットc1の中心軸cxにとボルトｄの中心軸ｄｘとが若干ずれ（θｘ）て多少斜めに挿入されても、縲合が開始されてナットc1の本来のネジ溝ではない溝に、締め付けボルトｄのネジ山が噛み合う誤噛み合いが生じる場合が多々ある。
これは、管継手においては、ナットのロッドとボルト保持のロッドとが元々不安定な位置にあり、ボルト保持部のボルト取付孔に挿入するボルトの中心軸と、ロッドのナットの中心軸とが元々一致していない場合の方が圧倒的に多いことや、更に、管継手を設置する配管接続箇所が狭い場所や床下などの作業がしづらい場所が多く、ボルトの中心軸とナット部の中心軸とを一致させることを確認することが困難である場合も多かったことによる。
この誤噛み合いは、ボルトをレンチ等の工具の大きな力で回動するため途中まで縲合するが、それ以上進まなくなる。この場合に、逆にレンチを回動して元に戻さなくてはならないが、ネジ山が互いに固く噛み込み、元に戻すのが困難であるばかりでなく、ネジ山自体を損傷することになる。さらには、元々、作業がしづらい場所に発生することが多く、元に戻す作業もやっかなものとなるという問題点があった。
【０００４】
本発明は、上述の問題点に鑑みてなされたもので、その課題は、外周ハウジングを締め付ける際に、単に締め付けボルトをナットに挿入するだけで、締め付けボルトとが正確にナットに縲合するようにして、正確に管継手の装着作業ができ、装着作業を簡便にすることができる管継手を提供することにある。
【課題を解決するための手段】
【０００５】
上記の課題を解決するために、請求項１の発明は、対向する管材端部を接続する管継手であって、該管継手は外周ハウジングとゴムシーリングとを設け、外周ハウジングの両端には対向するようにボルト取付部とナット部とを設け、ボルト取付部のボルト取付孔に締め付けボルトを挿入してナット部のナットに縲合し、外周ハウジングを締め付けてゴムシーリングを圧接して管周面を密封する管継ぎ手において、前記締め付けボルトの先端部には前記ナットのネジ山の頂点の内径とほぼ同じ外径の先端円柱部を設けたことを特徴とする管継手である。
請求項２の発明は、前記先端円柱部の長さ方向の幅を前記ナットの幅と同等以上にしたことを特徴とする請求項１に記載の管継手である。
請求項３の発明は、前記先端円柱部の先端には円錐台形ガイド部を設けたことを特徴とする請求項１乃至請求項２に記載の管継手である。
請求項４の発明は、前記ボルト取付部とナット部とは長尺のロッドであって、両ロッドには対向するボルト取付孔とナットをそれぞれ一対設け、平行する一対の締め付けボルトで外周ハウジングを締め付けることを特徴とする請求項１乃至請求項３に記載の管継手である。
【発明の効果】
【０００６】
本発明の管継手によれば、締め付けボルトの先端円柱部の外径が、ナットのネジ山の頂点の内径と同じ又はやや小さな外径の円柱としているので、円柱部をナットに挿入すると、ナットに対してボルトが正確に垂直方向になり、自然とボルトの中心軸とナットの中心軸とが一致して、締め付けボルトとが正確にナットに縲合し、正確に管継手の装着作業ができ、結果として管装着作業を簡便で短くすることができる。
【発明を実施するための最良の形態】
【０００７】
ここで、本発明を、２本の配管を接続する所謂メカニカル型の管継手を適用した好適な実施例を図面に沿って説明する。
図１は本実施例の管継手１の斜視図で、管継手１は、外側に円筒の外周ハウジング２が設けられ、外周ハウジング２の内側には円筒のゴムシーリング３が嵌合しており、外周ハウジング２の側面にはゴムシーリング３の厚さよりは若干薄い一定の高さ連続縁２２が、ゴムシーリング３が外にはみ出ないように、ほぼ全周に亘って設けられている。また、ゴムシーリング３の内壁には、接合する管Ａ,Ｂが挿入されるが、気密性、液密性を高めるために両端は、互いに内側に傾いた斜行襞31と、中央の波形襞32が設けられている。
そして、前記外周ハウジング２の円筒の一部は、円筒の軸と平行方向に切断されて切断部２１を有しており、この切断部２１の近傍部分はその間隔を調整して、外周ハウジング２の円筒の直径が変わるようにしてある。
この切断部２１での対向する切断端部211a,211bにはゴムシーリング３を締め付ける締付調整手段４を設ける。
【０００８】
この締付調整手段４の具体的構成は、一方の切断部２１近傍には締め付けボルト取付部４１を設け、他方の切断部２１近傍には締め付けボルト５の為のナット部４２を設ける。
前記ボルト取付部４１は、切断端部211aでロッド４３を巻き込んで折り返し、切断端部211aを再び円筒外周面２３aに溶接し、ボルト取付部４１のロッド４３には一対のボルト取付孔431が設けてある。このボルト取付孔431は締め付けボルト５のネジ部51がルーズに移動できる貫通孔である。
同様に、前記ナット部４２も、切断端部211bでロッド４４（バーナット）を巻き込んで折り返し、切断端部211bを再び円筒外周面２３bに溶接し、ロッド４４にはボルト５に対応する一対のナット441が設けてある。
なお、図１において、折り返した切断端部211a,211bの適所には、締め付けボルト５が貫通する貫通孔212a,212b,213a,213bが設けられ、また、切断部２１のボルト５の下の間隔の部分には、ゴムシーリング３をカバーするカバー板２４が切断端部211ｂ側に固着されている。
【０００９】
ここで、管継手１で金属製の管Ａ端部と管Ｂ端部とを継なぐ場合を、図３、図４で説明すると、まず、管Ａ端部と管Ｂ端部とを管継手１のゴムシーリング３の円筒内部に差し込み、締付調整手段４のロッド４３には一対のボルト取付孔431が設けられ、装着時にはこのボルト取付孔431には一対の締め付けボルト５を挿入してロッド４４のナット441に縲合し、ボルト５の頭部52を回動して切断部２１の間隔を狭め、ゴムシーリング３を所定の圧接まで調整して、ゴムシーリング３で管Ａ、管Ｂの外周面を密封する。
そして、ボルト取付部４１とナット部４２とは長尺のロッド４３、４４であって、両ロッド４３、４４には対向するボルト取付孔431とナット441をそれぞれ一対設け、平行する一対のボルト５で外周ハウジング２を締め付けることで、管長手方向に幅のある管継手にも簡単に対応でき、接続する両側の配管Ａ、Ｂに対して、同等の力でゴムシーリング３を圧接して管周面を密封することができる。
【００１０】
前記ボルト５の詳細は、図５に示すように、ネジ部51の一方の端部には頭部52を有し、頭部52には回動できるように六角のレンチ孔521が設けられ、他方の端部には先端円柱部53が設けられ、更に、その最先端には円錐台形ガイド部54が設けられている。
前記先端円柱部53の外径Ｙは、図５(ｂ)に示すように、ナット441のネジ山の頂点の内径と同じ寸法か、又は、やや小さな寸法で、ボルト５を縲合しなくてもスムースにガタがなくナット441に挿入できるようにしてある。また、先端円柱部53の長さ方向の幅Ｚ１は、前記ナット441の幅(厚さ）と同等にしている。更に、先端円柱部53の更に先端には円錐台形ガイド部54を設けて、ボルト５をナット441に挿入し易くなるように、案内部を形成している。
以上のような締め付けボルト５の構成であるので、図５からも明らかなように、ボルト５の先端円柱部53をナット441に挿入すると、先端円柱部53の外径Ｙがナット441のネジ山の頂点の内径とほぼ等しく、また、その幅もナット441の幅に亘って存在するので、ナット441に対して締め付けボルト５の軸が正確に垂直方向になり、自然とボルト５の中心軸5xとナット441の中心軸441xとが一致するようになる。
【００１１】
こうした状態で、締め付けボルト５の頭部52をレンチ等で回動すれば、図５(ａ)、図６に示すように、自然と締め付けボルト５の中心軸5xとナット441の中心軸441xとが一致しているので、締め付けボルト５のネジ山は正規のナット441のネジ溝に正確に縲合し、従来のように、ナット441の本来のネジ溝ではない溝に、締め付けボルト５のネジ山が噛み合う誤噛み合いが生じることがない。
すなわち、ロッド４４のナット441とロッド４３のボルト取付孔431とが元々不安定な位置にある管継手においても、図２に示すように、自動的で正確に締め付けボルト５のネジ部51がナット441に縲合する。
なお、本実施例では、先端円柱部53の長さ方向の幅Ｚ１は、前記ナット441の幅(厚さ）と同等にしているが、勿論、取り扱いに支障がなければ、同等以上でもよく、自動的に締め付けボルト５の中心軸5xとナット441の中心軸441xとが一致するのであれば、これよりも短くてもよい。また、最先端には円錐台形ガイド部54を設けているが、無くても容易にナット441に締め付けボルト５の先端を挿入できるのであれば、必ずしも必要ではない。
【００１２】
本実施例は、以上のような構成であるから、先端円柱部53をナット441に挿入すると、ナット441に対してボルト５が正確に垂直方向になり、自然とボルト５の中心軸5xとナット441の中心軸441xとが一致して、締め付けボルト５が正確にロッド４４のナット441に縲合し、正確に管継手の装着作業ができ、結果として管装着作業を簡便にすることができ、作業時間を短くすることができる。
なお、本発明の特徴を損なうものでなければ、上記の実施例に限定されるものでないことは勿論である。例えば、上記実施例は、２本の配管を接続する所謂メカニカル型の管継手に適用したものであるが、管の周面欠損の補修等に用いる管継手で外周ハウジングが中央部から半分に回動して開く所謂クランプ型の管継手に適用してもよいことは勿論であり、その他、管継手と同等の互いに不安定な位置にある締め付けボルトとナットの縲合に適用してもよいことも勿論である。
【図面の簡単な説明】
【００１３】
【図１】本発明の実施例の管継手の斜視図である。
【図２】図１の正面図である。
【図３】図１の側面からの部分断面図である。
【図４】本発明の管継手の全体の側面図である。
【図５】本発明のボルトとナットの関係を説明する説明図である。
【図６】図２でのボルトを縲合する直前の正面図である。
【図７】従来のボルトとナットの関係を説明する説明図である。
【図８】従来の管継手の正面図である。
【符号の説明】
【００１４】
Ａ,Ｂ…管
１…管継手、
２…外周ハウジング、２１…切断部、211a,211b…切断端部、
212a,212b,213a,213b…貫通孔、２２…連続縁、
２３a,２３b…円筒外周面、２４…カバー板、
３…ゴムシーリング、３１…斜行襞、３２…波形襞、
４…締付調整手段、４１…ボルト取付部、４２…ナット部、
４３,４４(バーナット)…ロッド、431…ボルト取付孔、441…ナット、
５…締め付けボルト、51…ネジ部、52…頭部、521…六角レンチ孔、
53…先端円柱部、54…円錐台形ガイド部、
【図１】
2008057715.tif 000003
【図２】
2008057715.tif 000004
【図３】
2008057715.tif 000005
【図４】
2008057715.tif 000006
【図５】
2008057715.tif 000007
【図６】
2008057715.tif 000008
【図７】
2008057715.tif 000009
【図８】
2008057715.tif 000010